(57)【特許請求の範囲】
【請求項１】
制御部と記憶部と表示部を少なくとも備えたＢＩＭシステムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部は、
利用者により入力される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記表示部に表示させる画面表示手段と、
を備え、
前記統合モデリング手段は、
前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とするＢＩＭシステム。
【請求項２】
前記制御部は、
前記画面表示手段により前記表示部に表示された前記レイアウト画面上で、前記利用者による前記安全対策品を変更する安全対策変更操作が検出された場合、前記安全対策変更操作に応じて、前記統合ＢＩＭモデル内の前記躯体開口領域に対する前記安全対策品を変更する安全対策変更手段、
を更に備えたことを特徴とする請求項１に記載のＢＩＭシステム。
【請求項３】
前記安全対策変更操作は、前記安全対策品を追加する追加操作、前記安全対策品を削除する削除操作、および、前記安全対策品の配置位置を移動する移動操作を含み、
前記安全対策変更手段は、
前記レイアウト画面上で前記追加操作が検出された場合、前記追加操作により指定された前記統合ＢＩＭモデル内の位置に前記安全対策品を追加し、
前記レイアウト画面上で前記削除操作が検出された場合、前記削除操作により選択された前記統合ＢＩＭモデル内の前記安全対策品を削除し、
前記レイアウト画面上で前記移動操作が検出された場合、前記移動操作により指定された前記統合ＢＩＭモデル内の位置に対応する前記安全対策品を移動させることを特徴とする請求項２に記載のＢＩＭシステム。
【請求項４】
制御部と記憶部とを少なくとも備えたサーバ装置、および、制御部と記憶部と表示部とを少なくとも備えた端末装置、を通信可能に接続したＢＩＭシステムであって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記サーバ装置の前記制御部は、
前記端末装置から送信される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備え、
前記端末装置の前記記憶部は、
前記ＢＩＭモデルを記憶するＢＩＭモデル記憶手段、
を備え、
前記端末装置の前記制御部は、
前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記表示部に表示させる画面表示手段と、
を備え、
前記統合モデリング手段は、
前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とするＢＩＭシステム。
【請求項５】
制御部と記憶部と表示部を少なくとも備えたＢＩＭシステムにおいて実行される方法であって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部において実行される、
利用者により入力される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記表示部に表示させる画面表示ステップと、
を含み、
前記統合モデリングにおいて、
前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とする方法。
【請求項６】
制御部と記憶部とを少なくとも備えたサーバ装置、および、制御部と記憶部と表示部とを少なくとも備えた端末装置、を通信可能に接続したＢＩＭシステムにおいて実行される方法であって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記端末装置の前記記憶部は、
前記ＢＩＭモデルを記憶するＢＩＭモデル記憶手段、
を備え、
前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを前記端末装置へ送信する情報提供ステップと、
前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ統合ＢＩＭモデルを作成する統合モデリングステップと、
前記端末装置の前記制御部において実行される、前記統合モデリングステップにて作成された前記統合ＢＩＭモデルを含むレイアウト画面を生成する画面生成ステップと、
前記端末装置の前記制御部において実行される、前記画面生成ステップにて生成された前記レイアウト画面を前記表示部に表示させる画面表示ステップと、
を含み、
前記統合モデリングステップにおいて、
前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とする方法。
【発明の詳細な説明】
【技術分野】
【０００１】
本発明の実施形態は、ＢＩＭシステムおよび方法に関する。
【背景技術】
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本発明が解決しようとする課題は、昇降機の設備計画を提案する際、建築物に昇降機を組み込んだ状態を視覚的に分かりやすく表示することができるＢＩＭシステムおよび方法を提供することである。
【課題を解決するための手段】
【０００５】
実施形態のＢＩＭシステムは、制御部と記憶部と表示部を少なくとも備える。前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備える。前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、を備える。前記統合モデリング手段は、前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とする。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、エスカレータを建築物の躯体部分に組み込んだ状態の統合ＢＩＭモデルの一例を示す図である。
【図５】図５は、図４に示した統合ＢＩＭモデルにおける躯体開口領域および安全対策必要箇所の一例を示す図である。
【図６】図６は、図５に示した統合ＢＩＭモデル内の安全対策必要箇所に対応する安全対策品の一例を示す図である。
【図７】図７は、オプション用品の設置領域に対する安全対策品の一例を示す図である。
【図８】図８は、第１の実施形態における基本処理の一例を示すフローチャートである。
【図９】図９は、統合ＢＩＭモデル作成処理の一例を示すフローチャートである。
【図１０】図１０は、統合ＢＩＭモデル作成処理の別の一例を示すフローチャートである。
【図１１】図１１は、安全対策変更処理の一例を示すフローチャートである。
【図１２】図１２は、ＢＩＭパーツの変更に伴い安全対策品の再配置を行う統合ＢＩＭモデル作成処理の一例を示すフローチャートである。
【図１３】図１３は、ＢＩＭモデルの変更に伴い安全対策品の再配置を行う統合ＢＩＭモデル作成処理の一例を示すフローチャートである。
【図１４】図１４は、第２の実施形態におけるＢＩＭシステムの構成の一例を示すブロック図である。
【図１５】図１５は、第２の実施形態におけるＢＩＭシステムの基本処理の一例を示すフローチャートである。
【図１６】図１６は、第３の実施形態におけるＢＩＭシステムの構成の一例を示すブロック図である。
【図１７】図１７は、第３の実施形態におけるＢＩＭシステムの基本処理の一例を示すフローチャートである。
【発明を実施するための形態】
【０００７】
以下に、実施形態にかかるＢＩＭシステム、サーバ装置、端末装置、方法およびプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。以下の実施形態では、このＢＩＭを使用した昇降機客先提案システムについて説明する。
【０００９】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１０】
［第１の実施形態］
最初に、第１の実施形態について、図２乃至図１３を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する昇降機のＢＩＭパーツを作成し、端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、上記に限定されない。
【００１６】
より具体的には、本実施形態において、パーツ情報は、例えば、後述の制御部１０２によりＢＩＭパーツをＢＩＭモデルに組み込む際等に参照されるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、後述の制御部１０２によりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００１８】
このうち、作成条件受信部２０２ａは、端末装置１００から送信される作成条件を受信する作成条件受信手段である。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエスカレータの３次元のＢＩＭパーツを作成する。ここで、図３は、昇降機のＢＩＭパーツの一例を示す図である。図３では、機種別に作成された３台のエスカレータのＢＩＭパーツが示されている。
【００２０】
昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｂは、作成条件受信部２０２ａにより受信された作成条件に基づいた納期、価格、あるいは、嗜好性に応じてＢＩＭパーツを自動的に最適化して作成するようにしてもよい。例えば、昇降機モデリング部２０２ｂは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｂは、利用者によって価格優先の選択がなされている場合には、設置可能な複数の昇降機のＢＩＭパーツのうち価格が安いものから順に自動で複数作成するようにしてもよい。昇降機モデリング部２０２ｂは、利用者によって利用者の嗜好性が設定されている場合には、設置可能な複数の昇降機のＢＩＭパーツのうち嗜好性にあったものから順に自動で複数作成するようにしてもよい。ここで、昇降機モデリング部２０２ｂは、作成した昇降機のＢＩＭパーツを記憶部２０６に格納して、ＢＩＭパーツデータベース（図示せず）を構築してもよい。
【００２１】
また、情報提供部２０２ｃは、昇降機モデリング部２０２ｂにより作成された昇降機のＢＩＭパーツを端末装置１００へ送信する情報提供手段である。ここで、情報提供部２０２ｃは、複数のＢＩＭパーツを含む計算結果を端末装置１００へ送信してもよい。
【００２２】
［端末装置１００の構成］
図２において、端末装置１００は、サーバ装置２００へＢＩＭパーツを作成するのに必要な作成条件を送信し、作成条件にしたがって作成されたＢＩＭパーツを含むサーバ装置２００の計算結果を、サーバ装置２００から受信する等の機能を有する。また、端末装置１００は、サーバ装置２００から受信したＢＩＭパーツを少なくとも含むレイアウト画面を生成し、当該レイアウト画面を表示部１１４に表示させる等の機能を有する。このとき、端末装置１００は、ＢＩＭパーツをＢＩＭモデルに設置した際に生じる躯体開口領域を算出し、算出された躯体開口領域に対する安全対策品を配置した状態の統合ＢＩＭモデルを作成する。
【００２３】
端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。端末装置１００は、インターネットブラウザ等を搭載していてもよく、ＢＩＭアプリケーション等を搭載していてもよい。端末装置１００は、表示部１１４と音声出力部１１６とを少なくとも含む出力部を備えていてもよい。端末装置１００は、データ入力等を行う入力部１１８を備えていてもよい。
【００２４】
図２において、表示部１１４は、アプリケーション等の表示画面を表示する表示手段（例えば、液晶または有機ＥＬ等から構成されるディスプレイ、モニタ、および、タッチパネル等）であってもよい。音声出力部１１６は、音声情報を音声として出力する音声出力手段（例えば、スピーカ等）であってもよい。入力部１１８は、例えば、キー入力部、タッチパネル、コントロールパッド（例えば、タッチパッド、および、ゲームパッド等）、マウス、キーボード、および、マイク等であってもよい。入出力制御インターフェース部１０８は、表示部１１４、音声出力部１１６、および、入力部１１８等の制御を行う。
【００２５】
図２において、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。ネットワーク３００は、端末装置１００およびサーバ装置２００と、図示しない外部機器または外部システム（例えば、ＢＩＭモデルデータベースサーバ等として機能する外部のデータベース装置など）とを相互に接続する機能を有し、例えば、インターネット、電話回線網（携帯端末回線網および一般電話回線網等）、イントラネット、または、電力線通信（ＰＬＣ）等であってもよい。
【００２６】
図２において、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ等）を格納してもよい。ここで、記憶部１０６は、各種のファイル等を一時的に記憶するものであってもよい。
【００２７】
このうち、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルには、例えば、建物形状、空間関係、地理情報、建物部材の数量や特性、部材強度、固有振動数、耐用年数等の構造情報が含まれるが、これらに限定されない。この他、構造情報は、建物用途、建物規模、階床数、階床名、階高、各階の使用用途、フロア人員、占有面積等から算出可能な昇降機の利用人数などの情報を含んでいてもよい。更に、構造情報は、対象の建築物を構成する各構造ユニットに関する寸法、位置等を示す情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁、安全対策品等が挙げられる。
【００２８】
図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、情報取得部１０２ｂ、統合モデリング部１０２ｃ、画面生成部１０２ｇ、画面表示部１０２ｈ、安全対策変更部１０２ｉ、ＢＩＭパーツ変更部１０２ｊ、および、ＢＩＭモデル変更部１０２ｋを備える。ここで、統合モデリング部１０２ｃは、躯体開口領域算出部１０２ｄ、安全対策必要箇所特定部１０２ｅ、および、安全対策品配置部１０２ｆを更に備える。
【００２９】
このうち、作成条件送信部１０２ａは、利用者により入力される作成条件をサーバ装置２００へ送信する作成条件送信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、利用者により入力部１１８を介して入力されたものであってもよいし、予め作成条件が記憶された外部記憶装置（図示せず）から読み込まれたものであってもよい。
【００３０】
また、情報取得部１０２ｂは、サーバ装置２００から送信される作成条件に対応するＢＩＭパーツを含む計算結果を受信する情報取得手段である。ここで、情報取得部１０２ｂは、複数のＢＩＭパーツを含む計算結果をサーバ装置２００から受信してもよい。情報取得部１０２ｂは、受信したＢＩＭパーツを記憶部１０６に格納して、ＢＩＭパーツデータベース（図示せず）を構築してもよい。
【００３１】
また、統合モデリング部１０２ｃは、情報取得部１０２ｂにより受信された昇降機のＢＩＭパーツを、ＢＩＭモデルデータベース１０６ａに記憶された建築物のＢＩＭモデルに組み込んだ統合ＢＩＭモデルを作成する統合モデリング手段である。本実施形態において、統合モデリング部１０２ｃは、ＢＩＭパーツをＢＩＭモデルに設置した際に生じる躯体開口領域を算出し、算出された躯体開口領域に対する安全対策品を配置した状態の統合ＢＩＭモデルを作成する。統合モデリング部１０２ｃは、作成した統合ＢＩＭモデルを記憶部１０６に格納して、統合ＢＩＭモデルデータベース（図示せず）を構築してもよい。
【００３２】
ここで、統合モデリング部１０２ｃは、躯体開口領域算出部１０２ｄ、安全対策必要箇所特定部１０２ｅ、および、安全対策品配置部１０２ｆを更に備えるため、これらの詳細について以下に説明する。
【００３３】
このうち、躯体開口領域算出部１０２ｄは、ＢＩＭパーツをＢＩＭモデルに設置した状態において、ＢＩＭパーツ全体とＢＩＭモデルの躯体部分（天井、床面、柱、壁面等）との位置関係に基づき躯体部分の開口部を決定し、決定した当該開口部に基づくＢＩＭモデル内の空間領域を、躯体開口領域として算出する躯体開口領域算出手段である。具体的には、まず躯体開口領域算出部１０２ｄは、例えば図４に示すように、エスカレータのＢＩＭパーツを建築物の躯体部分（図４の例において、天井、床面、柱から構成される躯体部分）のＢＩＭモデルに設置した状態の統合ＢＩＭモデルを作成する。ここで、図４は、エスカレータを建築物の躯体部分に組み込んだ状態の統合ＢＩＭモデルの一例を示す図である。図４に示す建築物の躯体部分は、説明の便宜上、壁面を除いた状態を示しているが、これに限定されず、躯体部分は壁面を含んで構成されてもよい。図４の右上には、エスカレータが設置されていない状態の建築物の躯体部分の一部を拡大したイメージが示されており、図４の右下には、エスカレータが設置された状態の建築物の躯体部分の一部を拡大したイメージが示されている。続いて、躯体開口領域算出部１０２ｄは、例えば図５に示すように、エスカレータのＢＩＭパーツを建築物のＢＩＭモデルに設置した状態において、ＢＩＭパーツ全体とＢＩＭモデルの躯体部分（図５上段の例において、天井、床面、柱から構成される躯体部分）との位置関係に基づいて、躯体部分の開口部（図５中段の例において、天井側の開口部、床面側の開口部）を決定する。この開口部は、エスカレータのＢＩＭパーツを建築物のＢＩＭモデル内に設置するために繰り抜く必要がある躯体部分側の領域である。続いて、躯体開口領域算出部１０２ｄは、決定した当該開口部（図５中段の例において、天井側の開口部、床面側の開口部）に基づくＢＩＭモデル内の空間領域を、躯体開口領域（図５下段の例において、斜線にて示す空間領域）として算出する。ここで、図５は、図４に示した統合ＢＩＭモデルにおける躯体開口領域および安全対策必要箇所の一例を示す図である。
【００３４】
安全対策必要箇所特定部１０２ｅは、躯体開口領域算出部１０２ｄにより算出された躯体開口領域に対して、安全対策が必要となる箇所（安全対策必要箇所）を特定する安全対策必要箇所特定手段である。本実施形態において、安全対策品とは、ＢＩＭパーツをＢＩＭモデルに設置した際に生じる躯体開口領域に対する安全対策として利用者を保護するための部材（三角ガード、手摺り、仕切り板等）である。例えば、安全対策必要箇所特定部１０２ｅは、図５の下段に示すような躯体開口領域において、昇降機を利用した場合の利用者に対して安全上の対策を要する箇所を特定する。また、安全対策必要箇所特定部１０２ｅは、図５の下段に示すような躯体開口領域において、昇降機付近を通行した場合の利用者に対して安全上の対策を要する箇所を特定する。
【００３５】
安全対策品配置部１０２ｆは、安全対策必要箇所特定部１０２ｅにより特定された安全対策が必要となる箇所に、安全対策品を配置する安全対策品配置手段である。例えば、安全対策品配置部１０２ｆは、図６に示すように、昇降機を利用した場合の利用者に対して安全上の対策を要する箇所に対して、安全対策品として三角カードを配置する。また、安全対策品配置部１０２ｆは、図６に示すように、昇降機付近を通行した場合の利用者に対して安全上の対策を要する箇所に対して、安全対策品として手摺りを配置する。ここで、図６は、図５に示した統合ＢＩＭモデル内の安全対策必要箇所に対応する安全対策品の一例を示す図である。
【００３６】
この他、統合モデリング部１０２ｃは、ＢＩＭパーツが昇降機に関するオプション用品を含む場合、当該オプション用品の設置領域を算出し、算出された設置領域に対する安全対策品を配置した状態の統合ＢＩＭモデルを作成してもよい。ここで、オプション用品とは、昇降機付近に設置される昇降機の利用者を支援するための部材（例えば、自動運転ポール、方向灯、誘導手摺等）を含む。例えば、まず統合モデリング部１０２ｃは、図７に示すように、エスカレータ付近にオプション用品として、自動運転ポールが設置されている場合、このオプション用品とＢＩＭパーツとの位置関係に基づいてオプション用品の設置領域を算出する。この設置領域は、例えば、躯体開口領域に隣接し、躯体開口領域からオプション用品が設置された位置までの空間領域を含む。ここで、図７は、オプション用品の設置領域に対する安全対策品の一例を示す図である。この場合、安全対策必要箇所特定部１０２ｅは、算出された設置領域に対して、安全対策が必要となる箇所を特定する。例えば、安全対策必要箇所特定部１０２ｅは、図７に示すような設置領域において、エスカレータを利用する利用者が正常に自動運転を稼働できるような通行経路を設定するための仕切り板が必要となる箇所を特定する。続いて、安全対策品配置部１０２ｆは、安全対策必要箇所特定部１０２ｅにより特定された安全対策が必要となる箇所に、安全対策品を配置する。例えば、安全対策品配置部１０２ｆは、図７に示すように、エスカレータを利用する利用者が正常に自動運転を稼働できるような通行経路を設定するための仕切り板が必要となる箇所に、安全対策品として仕切り板を配置する。
【００３７】
また、統合モデリング部１０２ｃは、後述するＢＩＭパーツ変更部１０２ｊにより変更されたＢＩＭパーツを、ＢＩＭモデルデータベース１０６ａに記憶されたＢＩＭモデルに設置した際に生じる躯体開口領域を算出し、算出された躯体開口領域に対する安全対策品を再配置した状態の統合ＢＩＭモデルを作成してもよい。また、統合モデリング部１０２ｃは、情報取得部１０２ｂにより受信された昇降機のＢＩＭパーツ、または、ＢＩＭパーツ変更部１０２ｊにより変更されたＢＩＭパーツを、後述するＢＩＭモデル変更部１０２ｋにより変更された建築物のＢＩＭモデルに設置した際に生じる躯体開口領域を算出し、算出された躯体開口領域に対する安全対策品を再配置した状態の統合ＢＩＭモデルを作成してもよい。
【００３８】
図２に戻り、画面生成部１０２ｇは、統合モデリング部１０２ｃにより作成された統合ＢＩＭモデルを含むレイアウト画面を生成する画面生成手段である。画面生成部１０２ｇは、例えば図６および図７に示すような、安全対策品を配置した統合ＢＩＭモデルを含むレイアウト画面を生成する。ここで、画面生成部１０２ｇは、後述のＢＩＭパーツ変更部１０２ｊにより変更された昇降機のＢＩＭパーツを含むレイアウト画面を生成してもよい。また、画面生成部１０２ｇは、後述のＢＩＭモデル変更部１０２ｋにより変更された建築物のＢＩＭモデルを含むレイアウト画面を生成してもよい。
【００３９】
また、画面表示部１０２ｈは、画面生成部１０２ｇにより生成されたレイアウト画面を表示部１１４に表示させる画面表示手段である。
【００４０】
また、安全対策変更部１０２ｉは、画面表示部１０２ｈにより表示部１１４に表示されたレイアウト画面上で、利用者による安全対策品を変更する安全対策変更操作が検出された場合、安全対策変更操作に応じて、統合ＢＩＭモデル内の躯体開口領域に対する安全対策品を変更する安全対策変更手段である。
【００４１】
ここで、安全対策変更操作は、安全対策品を追加する追加操作を含む。追加操作とは、例えば、安全対策品を変更可能な安全対策品変更モードに切り替える操作、レイアウト画面上に表示される追加可能な安全対策品のリスト（図示せず）から所望の安全対策品を選択する操作、選択した安全対策品を配置する箇所をレイアウト画面上で指定する操作等を含む。この場合、安全対策変更部１０２ｉは、レイアウト画面上で追加操作が検出された場合、追加操作により指定された統合ＢＩＭモデル内の位置に安全対策品を追加する。
【００４２】
また、安全対策変更操作は、安全対策品を削除する削除操作を含む。削除操作は、例えば、安全対策品を変更可能な安全対策品変更モードに切り替える操作、レイアウト画面上に表示される削除可能な安全対策品を選択する操作等を含む。この場合、安全対策変更部１０２ｉは、レイアウト画面上で削除操作が検出された場合、削除操作により選択された統合ＢＩＭモデル内の安全対策品を削除する。
【００４３】
また、安全対策変更操作は、安全対策品の配置位置を移動する移動操作を含む。移動操作は、例えば、安全対策品を変更可能な安全対策品変更モードに切り替える操作、レイアウト画面上に表示される移動可能な安全対策品を選択する操作、選択した安全対策品を配置する箇所をレイアウト画面上で指定する操作等を含む。この場合、安全対策変更部１０２ｉは、レイアウト画面上で移動操作が検出された場合、移動操作により指定された統合ＢＩＭモデル内の位置に対応する安全対策品を移動させる。
【００４４】
また、ＢＩＭパーツ変更部１０２ｊは、画面表示部１０２ｈにより表示部１１４に表示されたレイアウト画面上で、統合ＢＩＭモデル内のＢＩＭパーツを変更するＢＩＭパーツ変更操作が検出された場合、ＢＩＭパーツ変更操作に応じて、統合ＢＩＭモデル内のＢＩＭパーツを変更するＢＩＭパーツ変更手段である。ＢＩＭパーツ変更操作は、例えば、ＢＩＭパーツを変更可能なＢＩＭパーツ変更モードに切り替える操作、ＢＩＭパーツを追加する追加操作、ＢＩＭパーツを削除する削除操作、ＢＩＭパーツを移動させる移動操作等を含む。
【００４５】
また、ＢＩＭモデル変更部１０２ｋは、画面表示部１０２ｈにより表示部１１４に表示されたレイアウト画面上で、統合ＢＩＭモデル内のＢＩＭモデルを変更するＢＩＭモデル変更操作が検出された場合、ＢＩＭモデル変更操作に応じて、統合ＢＩＭモデル内のＢＩＭモデルを変更するＢＩＭパーツ変更手段である。ＢＩＭモデル変更操作は、例えば、ＢＩＭモデルを変更可能なＢＩＭモデル変更モードに切り替える操作、ＢＩＭモデルの一部を追加する追加操作、ＢＩＭモデルの一部を削除する削除操作、ＢＩＭモデルの一部を移動させる移動操作等を含む。
【００４６】
この他、制御部１０２は、情報取得部１０２ｂにより受信されたＢＩＭパーツを、ＢＩＭモデルデータベース１０６ａに記憶されたＢＩＭモデル内における当該ＢＩＭパーツの設置予定領域へ設置させる利用者の設置操作を検出する操作画面を作成する操作画面作成手段を更に備えていてもよい。また、制御部１０２は、操作画面作成手段により作成された操作画面を表示部１１４に表示させる操作画面表示手段を更に備えていてもよい。この場合、統合モデリング部１０２ｃは、操作画面表示手段により表示された操作画面を介して検出される設置操作に応じて、ＢＩＭパーツを設置予定領域に設置した際に生じる躯体開口領域を算出し、算出された躯体開口領域に対する安全対策品を配置した状態の統合ＢＩＭモデルを作成してもよい。
【００４７】
以上で、第１の実施形態におけるＢＩＭシステムの構成の一例の説明を終える。
【００４８】
［第１の実施形態におけるＢＩＭシステムの処理］
次に、このように構成された第１の実施形態におけるＢＩＭシステムの処理の一例について、以下に図８乃至図１３を参照して詳細に説明する。図８は、第１の実施形態におけるＢＩＭシステムの基本処理の一例を示すフローチャートである。
【００４９】
図８に示すように、端末装置１００の作成条件送信部１０２ａは、利用者により入力される作成条件をサーバ装置２００へ送信する（ステップＳＡ−１０）。
【００５０】
そして、サーバ装置２００の作成条件受信部２０２ａは、ステップＳＡ−１０にて作成条件送信部１０２ａの処理により送信される作成条件を受信する（ステップＳＡ−２０）。
【００５１】
そして、サーバ装置２００の昇降機モデリング部２０２ｂは、ステップＳＡ−２０にて作成条件受信部２０２ａの処理により受信された作成条件に対応する昇降機のＢＩＭパーツを、パーツ情報データベース２０６ａに記憶されたパーツ情報を用いて作成する（ステップＳＡ−３０）。例えば、昇降機モデリング部２０２ｂは、図３に示すようなエスカレータのＢＩＭパーツを作成する。ここで、ステップＳＡ−３０において、昇降機モデリング部２０２ｂは、作成条件を満たす複数の昇降機のＢＩＭパーツを作成してもよい。
【００５２】
そして、サーバ装置２００の情報提供部２０２ｃは、ステップＳＡ−３０にて昇降機モデリング部２０２ｂの処理により作成された昇降機のＢＩＭパーツを端末装置１００へ送信する（ステップＳＡ−４０）。
【００５３】
そして、端末装置１００の情報取得部１０２ｂは、ステップＳＡ−４０にて情報提供部２０２ｃの処理により送信された昇降機のＢＩＭパーツを受信する（ステップＳＡ−５０）。
【００５４】
そして、端末装置１００の統合モデリング部１０２ｃは、ステップＳＡ−５０にて情報取得部１０２ｂの処理により受信された単数または複数の昇降機のＢＩＭパーツを、ＢＩＭモデルデータベース１０６ａに記憶された建築物のＢＩＭモデルに組み込んだ統合ＢＩＭモデルを作成する（ステップＳＡ−６０）。例えば、統合モデリング部１０２ｃは、図６に示すような、エスカレータのＢＩＭパーツを建築物のＢＩＭモデルの組み込んだ状態であって、躯体開口領域の安全対策必要箇所に対して安全対策品（図６の例において、三角ガード、手摺り）が配置された状態の統合ＢＩＭモデルを作成する。また、統合モデリング部１０２ｃは、図７に示すような、エスカレータ付近にオプション用品（図７の例において、自動運転ポール）が設置されている場合は、設置領域の安全対策必要箇所に対して安全対策品（図７の例において、仕切り板）が配置された状態の統合ＢＩＭモデルを作成する。
【００５５】
ここで、図８のステップＳＡ−６０の統合ＢＩＭモデル生成処理の詳細について、図９を参照して、以下に説明する。図９は、統合ＢＩＭモデル作成処理の一例を示すフローチャートである。
【００５６】
図９に示すように、躯体開口領域算出部１０２ｄは、ＢＩＭパーツをＢＩＭモデルに設置した状態において、ＢＩＭパーツ全体とＢＩＭモデルの躯体部分（天井、床面、柱、壁面等）との位置関係に基づき躯体部分の開口部を決定し、決定した当該開口部に基づくＢＩＭモデル内の空間領域を、図５に示すような躯体開口領域として算出する（ステップＳＡ−６１）。
【００５７】
そして、安全対策必要箇所特定部１０２ｅは、ステップＳＡ−６１にて躯体開口領域算出部１０２ｄの処理により算出された躯体開口領域に対して、安全対策が必要となる箇所（図５の例において、エスカレータを利用した場合の利用者に対して安全上の対策を要する箇所や、エスカレータ付近を通行した場合の利用者に対して安全上の対策を要する箇所等）を特定する（ステップＳＡ−６２）。
【００５８】
そして、安全対策品配置部１０２ｆは、ステップＳＡ−６２にて安全対策必要箇所特定部１０２ｅの処理により特定された安全対策が必要となる箇所に、安全対策品（図６の例において、三角ガードや手摺り等）を配置する（ステップＳＡ−６３）。その後、図８のステップＳＡ−７０の処理へ移行する。
【００５９】
本実施形態において、統合モデリング部１０２ｃは、上述の図９に示した統合ＢＩＭモデル作成処理の他に、ＢＩＭパーツが昇降機に関するオプション用品を含む場合は、図８のステップＳＡ−６０において、図１０に示す統合ＢＩＭモデル作成処理を実行してもよい。図１０は、統合ＢＩＭモデル作成処理の別の一例を示すフローチャートである。
【００６０】
図１０に示すように、統合モデリング部１０２ｃは、ＢＩＭパーツに対してオプション用品が設置されているか否かを判定する（ステップＳＡ−６４）。
【００６１】
そして、統合モデリング部１０２ｃは、ステップＳＡ−６４においてＢＩＭパーツに対してオプション用品が設置されていると判定した場合（ステップＳＡ−６４：Ｙｅｓ）、当該オプション用品の設置領域を算出する（ステップＳＡ−６５）。ステップＳＡ−６５において、統合モデリング部１０２ｃは、例えば、図７に示すように、エスカレータ付近にオプション用品として、自動運転ポールが設置されている場合、このオプション用品とＢＩＭパーツとの位置関係に基づいてオプション用品の設置領域を算出する。そして、安全対策必要箇所特定部１０２ｅは、ステップＳＡ−６５にて算出された設置領域に対して、安全対策が必要となる箇所（図７の例において、エスカレータを利用する利用者が正常に自動運転を稼働できるような通行経路を設定するための仕切り板が必要となる箇所等）を特定する（ステップＳＡ−６２）。そして、安全対策品配置部１０２ｆは、ステップＳＡ−６２において安全対策必要箇所特定部１０２ｅにより特定された安全対策が必要となる箇所に、安全対策品（図７の例において、仕切り板等）を配置する（ステップＳＡ−６３）。その後、図８のステップＳＡ−７０の処理へ移行する。
【００６２】
一方、統合モデリング部１０２ｃは、ステップＳＡ−６４においてＢＩＭパーツに対してオプション用品が設置されていないと判定した場合（ステップＳＡ−６４：Ｎｏ）、上述のステップＳＡ−６５、ステップＳＡ−６２、ステップＳＡ−６３の処理を行わず、ステップＳＡ−６４の処理に戻る。本実施形態において、統合モデリング部１０２ｃは、ステップＳＡ−６４においてＢＩＭパーツに対してオプション用品が設置されていると判定されなければ、上述の図９のステップＳＡ−６１、ステップＳＡ−６２、ステップＳＡ−６３の処理を実行するものとする。
【００６３】
図８に戻り、ステップＳＡ−７０の処理から説明を続ける。端末装置１００の画面生成部１０２ｇは、ステップＳＡ−６０にて統合モデリング部１０２ｃの処理により作成された統合ＢＩＭモデルを含むレイアウト画面を生成する（ステップＳＡ−７０）。ステップＳＡ−７０において、画面生成部１０２ｇは、例えば図６および図７に示すような、安全対策品を配置した統合ＢＩＭモデルを含むレイアウト画面を生成する。
【００６４】
そして、端末装置１００の画面生成部１０２ｇは、ステップＳＡ−７０にて画面生成部１０２ｇの処理により生成されたレイアウト画面を表示部１１４に表示させる（ステップＳＡ−８０）。例えば、画面生成部１０２ｇは、例えば図６および図７に示すような、安全対策品を配置した統合ＢＩＭモデルを含むレイアウト画面を表示部１１４に表示させる。
【００６５】
そして、端末装置１００の制御部１０２は、ステップＳＡ−８０にて画面表示部１０２ｈの処理により表示部１１４に表示されたレイアウト画面上で、利用者による安全対策品を変更する安全対策変更操作が検出されたか否かを判定する（ステップＳＡ−９０）。本実施形態において、安全対策変更操作は、例えば、安全対策品を追加する追加操作、安全対策品を削除する削除操作、安全対策品の配置位置を移動する移動操作等を含む。
【００６６】
そして、端末装置１００の安全対策変更部１０２ｉは、ステップＳＡ−９０にて制御部１０２の処理により安全対策変更操作が検出されたと判定された場合（ステップＳＡ−９０：Ｙｅｓ）、検出された安全対策変更操作に応じて、統合ＢＩＭモデル内の躯体開口領域に対する安全対策品を変更する（ステップＳＡ−１００）。その後、制御部１０２は、変更した安全対策品を含むレイアウト画面を表示部１１４に表示させた上で、本処理を終了する。
【００６７】
一方、端末装置１００の制御部１０２は、ステップＳＡ−９０にて安全対策変更操作が検出されなかったと判定した場合（ステップＳＡ−９０：Ｎｏ）は、ステップＳＡ−１００の安全対策変更処理を実行せずに、本処理を終了する。
【００６８】
ここで、図８において実行されるステップＳＡ−９０の判定処理およびステップＳＡ−１００の安全対策変更処理の詳細について、図１１を参照して、以下に説明する。図１１は、安全対策変更処理の一例を示すフローチャートである。
【００６９】
図１１に示すように、制御部１０２は、安全対策品を追加する追加操作が検出されたか否かを判定する（ステップＳＡ−９１）。ここで、追加操作とは、例えば、安全対策品を変更可能な安全対策品変更モードに切り替える操作、レイアウト画面上に表示される追加可能な安全対策品のリスト（図示せず）から所望の安全対策品を選択する操作、選択した安全対策品を配置する箇所をレイアウト画面上で指定する操作等を含む。
【００７０】
そして、ステップＳＡ−９１において、制御部１０２に処理により追加操作が検出されたと判定された場合（ステップＳＡ−９１：Ｙｅｓ）、安全対策変更部１０２ｉは、追加操作により指定された統合ＢＩＭモデル内の位置に安全対策品を追加する（ステップＳＡ−１０１）。その後、本処理を終了する。
【００７１】
一方、ステップＳＡ−９１において、制御部１０２に処理により追加操作が検出されていないと判定された場合（ステップＳＡ−９１：Ｎｏ）、更に制御部１０２は、安全対策品を削除する削除操作が検出されたか否かを判定する（ステップＳＡ−９２）。削除操作は、例えば、安全対策品を変更可能な安全対策品変更モードに切り替える操作、レイアウト画面上に表示される削除可能な安全対策品を選択する操作等を含む。
【００７２】
そして、ステップＳＡ−９２において、制御部１０２に処理により削除操作が検出されたと判定された場合（ステップＳＡ−９２：Ｙｅｓ）、安全対策変更部１０２ｉは、削除操作により選択された統合ＢＩＭモデル内の安全対策品を削除する（ステップＳＡ−１０２）。その後、本処理を終了する。
【００７３】
一方、ステップＳＡ−９２において、制御部１０２に処理により削除操作が検出されていないと判定された場合（ステップＳＡ−９２：Ｎｏ）、更に制御部１０２は、安全対策品の配置位置を移動する移動操作が検出されたか否かを判定する（ステップＳＡ−９３）。移動操作は、例えば、安全対策品を変更可能な安全対策品変更モードに切り替える操作、レイアウト画面上に表示される移動可能な安全対策品を選択する操作、選択した安全対策品を配置する箇所をレイアウト画面上で指定する操作等を含む。
【００７４】
そして、ステップＳＡ−９３において、制御部１０２に処理により移動操作が検出されたと判定された場合（ステップＳＡ−９３：Ｙｅｓ）、安全対策変更部１０２ｉは、移動操作により指定された統合ＢＩＭモデル内の位置に対応する安全対策品を移動させる（ステップＳＡ−１０３）。その後、本処理を終了する。
【００７５】
一方、ステップＳＡ−９３において、制御部１０２に処理により移動操作が検出されていないと判定された場合（ステップＳＡ−９３：Ｎｏ）、制御部１０２は、上述のステップＳＡ−１０１〜１０３の各種安全対策変更処理を実行せずに、本処理を終了する。つまり、制御部１０２は、ステップＳＡ−９１にて追加操作が検出されず（ステップＳＡ−９１：Ｎｏ）、かつ、ステップＳＡ−９２にて削除操作が検出されず（ステップＳＡ−９２：Ｎｏ）、かつ、ステップＳＡ−９３にて移動操作が検出なかった（ステップＳＡ−９３：Ｎｏ）と判定した場合は、安全対策変更操作が検出されなかったと判定し、安全対策変更処理を実行せずに、本処理を終了する。
【００７６】
本実施形態において、利用者は、安全対策品を配置した統合ＢＩＭモデルを作成後、レイアウト画面上で安全対策品を変更する他、統合ＢＩＭモデル内のＢＩＭパーツおよび／またはＢＩＭモデルを変更することもできる。この際、ＢＩＭパーツの変更（昇降機側の変更）やＢＩＭモデルの変更（建築物側の変更）に伴い、安全対策品を再配置する必要が生じる。以下、図１２および図１３を参照して、昇降機側の変更や建築物側の変更に伴って安全対策品を再配置させる統合ＢＩＭモデル作成処理について説明する。図１２は、ＢＩＭパーツの変更に伴い安全対策品の再配置を行う統合ＢＩＭモデル作成処理の一例を示すフローチャートである。図１３は、ＢＩＭモデルの変更に伴い安全対策品の再配置を行う統合ＢＩＭモデル作成処理の一例を示すフローチャートである。図１２および図１３は、図８に示したステップＳＡ−１０〜ステップＳＡ−５０の処理を実行した後の処理を示している。
【００７７】
図１２に示すように、統合モデリング部１０２ｃは、図８のステップＳＡ−５０にて情報取得部１０２ｂの処理により受信された単数または複数の昇降機のＢＩＭパーツを、ＢＩＭモデルデータベース１０６ａに記憶された建築物のＢＩＭモデルに組み込んだ統合ＢＩＭモデルを作成する（ステップＳＡ−６０）。例えば、統合モデリング部１０２ｃは、図６に示すような、エスカレータのＢＩＭパーツを建築物のＢＩＭモデルの組み込んだ状態であって、躯体開口領域の安全対策必要箇所に対して安全対策品（図６の例において、三角ガード、手摺り）が配置された状態の統合ＢＩＭモデルを作成する。また、統合モデリング部１０２ｃは、図７に示すような、エスカレータ付近にオプション用品（図７の例において、自動運転ポール）が設置されている場合は、設置領域の安全対策必要箇所に対して安全対策品（図７の例において、仕切り板）が配置された状態の統合ＢＩＭモデルを作成する。
【００７８】
ここで、ステップＳＡ−６０において、統合モデリング部１０２ｃは、昇降機のＢＩＭパーツを、後述の図１３のステップＳＡ−１２１にてＢＩＭモデル変更部１０２ｋにより変更された建築物のＢＩＭモデルに組み込んだ統合ＢＩＭモデルを作成してもよい。
【００７９】
そして、画面生成部１０２ｇは、ステップＳＡ−６０にて統合モデリング部１０２ｃの処理により作成された統合ＢＩＭモデルを含むレイアウト画面を生成する（ステップＳＡ−７０）。ステップＳＡ−７０において、画面生成部１０２ｇは、例えば図６および図７に示すような、安全対策品を配置した統合ＢＩＭモデルを含むレイアウト画面を生成する。
【００８０】
そして、画面生成部１０２ｇは、ステップＳＡ−７０にて画面生成部１０２ｇの処理により生成されたレイアウト画面を表示部１１４に表示させる（ステップＳＡ−８０）。例えば、画面生成部１０２ｇは、例えば図６および図７に示すような、安全対策品を配置した統合ＢＩＭモデルを含むレイアウト画面を表示部１１４に表示させる。
【００８１】
そして、制御部１０２は、ステップＳＡ−８０にて画面表示部１０２ｈの処理により表示部１１４に表示されたレイアウト画面上で、統合ＢＩＭモデル内のＢＩＭパーツを変更するＢＩＭパーツ変更操作が検出されたか否かを判定する（ステップＳＡ−１１０）。ＢＩＭパーツ変更操作は、例えば、ＢＩＭパーツを変更可能なＢＩＭパーツ変更モードに切り替える操作、ＢＩＭパーツを追加する追加操作、ＢＩＭパーツを削除する削除操作、ＢＩＭパーツを移動させる移動操作等を含む。
【００８２】
そして、ＢＩＭパーツ変更部１０２ｊは、ステップＳＡ−１１０にて制御部１０２の処理によりＢＩＭパーツ変更操作が検出されたと判定された場合（ステップＳＡ−１１０：Ｙｅｓ）、ＢＩＭパーツ変更操作に応じて、統合ＢＩＭモデル内のＢＩＭパーツを変更する（ステップＳＡ−１１１）。その後、ステップＳＡ−６０の処理に移行する。
【００８３】
この場合、ステップＳＡ−６０において、統合モデリング部１０２ｃは、ステップＳＡ−１１１にてＢＩＭパーツ変更部１０２ｊにより変更されたＢＩＭパーツを、ＢＩＭモデルデータベース１０６ａに記憶されたＢＩＭモデルに設置した際に生じる躯体開口領域を算出し、算出された躯体開口領域に対する安全対策品を再配置した状態の統合ＢＩＭモデルを作成する。そして、ステップＳＡ−７０において、画面生成部１０２ｇは、ステップＳＡ−６０にて統合モデリング部１０２ｃの処理により作成された統合ＢＩＭモデルを含むレイアウト画面を生成する。そして、ステップＳＡ−８０において、画面生成部１０２ｇは、ステップＳＡ−７０にて画面生成部１０２ｇの処理により生成されたレイアウト画面を表示部１１４に表示させる。
【００８４】
一方、制御部１０２は、ステップＳＡ−１１０にてＢＩＭパーツ変更操作が検出されなかったと判定した場合（ステップＳＡ−１１０：Ｎｏ）は、ステップＳＡ−１１１のＢＩＭパーツ変更処理を実行せずに、本処理を終了する。この他、ステップＳＡ−１１０：Ｎｏと判定された場合、制御部１０２は、後述の図１３に示すステップＳＡ−１２０およびステップＳＡ−１２１の処理を実行してもよい。
【００８５】
図１３に示すように、統合モデリング部１０２ｃは、図８のステップＳＡ−５０にて情報取得部１０２ｂの処理により受信された単数または複数の昇降機のＢＩＭパーツを、ＢＩＭモデルデータベース１０６ａに記憶された建築物のＢＩＭモデルに組み込んだ統合ＢＩＭモデルを作成する（ステップＳＡ−６０）。例えば、統合モデリング部１０２ｃは、図６に示すような、エスカレータのＢＩＭパーツを建築物のＢＩＭモデルの組み込んだ状態であって、躯体開口領域の安全対策必要箇所に対して安全対策品（図６の例において、三角ガード、手摺り）が配置された状態の統合ＢＩＭモデルを作成する。また、統合モデリング部１０２ｃは、図７に示すような、エスカレータ付近にオプション用品（図７の例において、自動運転ポール）が設置されている場合は、設置領域の安全対策必要箇所に対して安全対策品（図７の例において、仕切り板）が配置された状態の統合ＢＩＭモデルを作成する。
【００８６】
ここで、ステップＳＡ−６０において、統合モデリング部１０２ｃは、図１２のステップＳＡ−１１１にてＢＩＭパーツ変更部１０２ｊにより変更された昇降機のＢＩＭパーツを、ＢＩＭモデルデータベース１０６ａに記憶された建築物のＢＩＭモデルに組み込んだ統合ＢＩＭモデルを作成してもよい。
【００８７】
そして、画面生成部１０２ｇは、ステップＳＡ−６０にて統合モデリング部１０２ｃの処理により作成された統合ＢＩＭモデルを含むレイアウト画面を生成する（ステップＳＡ−７０）。ステップＳＡ−７０において、画面生成部１０２ｇは、例えば図６および図７に示すような、安全対策品を配置した統合ＢＩＭモデルを含むレイアウト画面を生成する。
【００８８】
そして、画面生成部１０２ｇは、ステップＳＡ−７０にて画面生成部１０２ｇの処理により生成されたレイアウト画面を表示部１１４に表示させる（ステップＳＡ−８０）。例えば、画面生成部１０２ｇは、例えば図６および図７に示すような、安全対策品を配置した統合ＢＩＭモデルを含むレイアウト画面を表示部１１４に表示させる。
【００８９】
そして、制御部１０２は、ステップＳＡ−８０にて画面表示部１０２ｈの処理により表示部１１４に表示されたレイアウト画面上で、統合ＢＩＭモデル内のＢＩＭモデルを変更するＢＩＭモデル変更操作が検出されたか否かを判定する（ステップＳＡ−１２０）。ＢＩＭモデル変更操作は、例えば、ＢＩＭモデルを変更可能なＢＩＭモデル変更モードに切り替える操作、ＢＩＭモデルの一部を追加する追加操作、ＢＩＭモデルの一部を削除する削除操作、ＢＩＭモデルの一部を移動させる移動操作等を含む。
【００９０】
そして、ＢＩＭモデル変更部１０２ｋは、ステップＳＡ−１２０にて制御部１０２の処理によりＢＩＭモデル変更操作が検出されたと判定された場合（ステップＳＡ−１２０：Ｙｅｓ）、ＢＩＭモデル変更操作に応じて、統合ＢＩＭモデル内のＢＩＭモデルを変更する（ステップＳＡ−１２１）。その後、ステップＳＡ−６０の処理に移行する。
【００９１】
この場合、ステップＳＡ−６０において、統合モデリング部１０２ｃは、ステップＳＡ−１２１にてＢＩＭモデル変更部１０２ｋの処理により変更された建築物のＢＩＭモデルに設置した際に生じる躯体開口領域を算出し、算出された躯体開口領域に対する安全対策品を再配置した状態の統合ＢＩＭモデルを作成する。そして、ステップＳＡ−７０において、画面生成部１０２ｇは、ステップＳＡ−６０にて統合モデリング部１０２ｃの処理により作成された統合ＢＩＭモデルを含むレイアウト画面を生成する。そして、ステップＳＡ−８０において、画面生成部１０２ｇは、ステップＳＡ−７０にて画面生成部１０２ｇの処理により生成されたレイアウト画面を表示部１１４に表示させる。
【００９２】
一方、制御部１０２は、ステップＳＡ−１２０にてＢＩＭモデル変更操作が検出されなかったと判定した場合（ステップＳＡ−１２０：Ｎｏ）は、ステップＳＡ−１２１のＢＩＭモデル変更処理を実行せずに、本処理を終了する。この他、ステップＳＡ−１２０：Ｎｏと判定された場合、制御部１０２は、上述の図１２に示すステップＳＡ−１１０およびステップＳＡ−１１１の処理を実行してもよい。
【００９３】
以上で、第１の実施形態におけるＢＩＭシステムの処理の一例の説明を終える。
【００９４】
このように、本実施形態によれば、昇降機の設備計画を提案する際、建築物に昇降機を組み込んだ状態の統合ＢＩＭモデルを視覚的に分かりやすく表示することができる。また、本実施形態によれば、統合ＢＩＭモデルの作成時において、建築物のＢＩＭモデルに昇降機のＢＩＭパーツを設置する際、昇降機と建築物側の躯体（天井、壁、柱等）の空間を自動的に確認し、必要な箇所に安全対策品（三角ガード、手摺り、仕切り板等）を自動設置することができる。ここで、従来の２Ｄ設計においては、平面図、側面図、正面図を相互に確認しながら、安全対策品の必要可否の確認、必要な場合は寸法などを確認し、一つ一つ個別に配置する必要があった。更に、従来の個別の図面間で安全対策品を配置しているため、安全対策品の設置位置の間違いや設置忘れなどの可能性もあったが、本実施形態によればこれらの問題を解消することができる。
【００９５】
例えば、本実施形態によれば、建築物のＢＩＭモデルに空間やクリアランスを把握可能な昇降機のＢＩＭパーツを設置することにより、建築物側の天井や壁や柱と昇降機とのスペースを確認し、安全対策が必要な場所に安全対策品を自動設置することができる。また、本実施形態によれば、自動配置される安全対策品は、法規的に必要なものは当然を含むが、法規的には不要であっても、統合ＢＩＭモデル内が仮配置されるため、本ＢＩＭシステムの利用者は、安全対策の設置の有無をレイアウト画面上で立体的に検討することができる。また、本実施形態によれば、本ＢＩＭシステムの利用者は、一旦、安全対策品が配置された状態の統合ＢＩＭモデルを作成後であっても、必要に応じて建築物側への要求項目として、安全対策品（垂れ壁や手すり等）の追加、削除、移動等も行うことができる。また、本実施形態によれば、統合ＢＩＭモデル内の昇降機の位置や建築物側の躯体条件が変更された場合であっても、その都度、適切な位置へ適切な安全対策品を自動的に再配置することができる。更に、本実施形態によれば、昇降機に関するオプション用品（例えば、自動運転ポール、方向灯、誘導手摺）の設置領域に対しても、安全対策品の検討および自動配置を行うことができる。
【００９６】
［第２の実施形態］
続いて、第２の実施形態について、図１４および図１５を参照して以下に説明する。ここで、図１４は、第２の実施形態におけるＢＩＭシステムの構成の一例を示すブロック図であり、該構成のうち本実施形態に関係する部分を概念的に示している。
【００９７】
なお、第２の実施形態においては、サーバ装置２００側で作成条件に対応する昇降機のＢＩＭパーツを建築物のＢＩＭモデルに組み込んだ統合ＢＩＭモデルを含むレイアウト画面を生成し、端末装置１００へ送信して、当該端末装置１００の表示部１１４に表示させるように制御している。このように、第２の実施形態は、サーバ装置２００にてサーバ主導で処理を行う点が、その他の実施形態と異なる。
【００９８】
［第２の実施形態におけるＢＩＭシステムの構成］
まず、第２の実施形態におけるＢＩＭシステムの構成の一例について、図１４を参照して以下に説明する。
【００９９】
図１４に示すように、第２の実施形態のサーバ装置２００は、出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【０１００】
図１４において、サーバ装置２００は、端末装置１００から送信される作成条件に対応するＢＩＭパーツを作成し、ＢＩＭパーツをＢＩＭモデルに組み込んだ統合ＢＩＭモデルを作成する等の機能を有する。また、サーバ装置２００は、統合ＢＩＭモデルを含むレイアウト画面を生成し、レイアウト画面を端末装置１００へ送信して、当該端末装置１００の表示部１１４に表示させるように制御する等の機能を有する。このとき、端末装置１００は、ＢＩＭパーツをＢＩＭモデルに設置した際に生じる躯体開口領域を算出し、算出された躯体開口領域に対する安全対策品を配置した状態の統合ＢＩＭモデルを作成する。
【０１０１】
なお、サーバ装置２００における通信制御インターフェース部２０４および記憶部２０６（パーツ情報データベース２０６ａ、および、ＢＩＭモデルデータベース２０６ｂ等）の機能、また、端末装置１００における表示部１１４、音声出力部１１６、および、入力部１１８の機能は、第１の実施形態と同様であるため説明を省略する。
【０１０２】
図１４において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、統合モデリング部２０２ｄ、画面生成部２０２ｈ、画面表示制御部２０２ｉ、安全対策変更部２０２ｊ、ＢＩＭパーツ変更部２０２ｋ、および、ＢＩＭモデル変更部２０２ｍを備える。ここで、統合モデリング部２０２ｄは、躯体開口領域算出部２０２ｅ、安全対策必要箇所特定部２０２ｆ、および、安全対策品配置部２０２ｇを更に備える。
【０１０３】
このうち、作成条件受信部２０２ａは、端末装置１００から送信される作成条件を受信する作成条件受信手段である。ここで、作成条件は、利用者により端末装置１００において入力部１１８を介して入力されたものであってもよいし、予め作成条件が記憶された外部記憶装置（図示せず）から読み込まれたものであってもよい。
【０１０４】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエスカレータの３次元のＢＩＭパーツを作成する。
【０１０５】
また、統合モデリング部２０２ｄは、昇降機モデリング部２０２ｂにより作成された昇降機のＢＩＭパーツを、ＢＩＭモデルデータベース２０６ｂに記憶された建築物のＢＩＭモデルに組み込んだ統合ＢＩＭモデルを作成する統合モデリング手段である。本実施形態において、統合モデリング部２０２ｄは、ＢＩＭパーツをＢＩＭモデルに設置した際に生じる躯体開口領域を算出し、算出された躯体開口領域に対する安全対策品を配置した状態の統合ＢＩＭモデル（図６に示す統合ＢＩＭモデル等）を作成する。
【０１０６】
ここで、統合モデリング部２０２ｄは、ＢＩＭパーツが昇降機に関するオプション用品を含む場合、当該オプション用品の設置領域を算出し、算出された設置領域に対する安全対策品を配置した状態の統合ＢＩＭモデル（図７に示す統合ＢＩＭモデル等）を作成してもよい。また、統合モデリング部２０２ｄは、後述するＢＩＭパーツ変更部２０２ｋにより変更されたＢＩＭパーツを、ＢＩＭモデルデータベース２０６ｂに記憶されたＢＩＭモデルに設置した際に生じる躯体開口領域を算出し、算出された躯体開口領域に対する安全対策品を再配置した状態の統合ＢＩＭモデルを作成してもよい。また、統合モデリング部２０２ｄは、昇降機モデリング部２０２ｂにより作成された昇降機のＢＩＭパーツ、または、ＢＩＭパーツ変更部２０２ｋにより変更されたＢＩＭパーツを、後述するＢＩＭモデル変更部２０２ｍにより変更された建築物のＢＩＭモデルに設置した際に生じる躯体開口領域を算出し、算出された躯体開口領域に対する安全対策品を再配置した状態の統合ＢＩＭモデルを作成してもよい。なお、統合モデリング部２０２ｄは、作成した統合ＢＩＭモデルを記憶部１０６に格納して、統合ＢＩＭモデルデータベース（図示せず）を構築してもよい。
【０１０７】
本実施形態において、統合モデリング部２０２ｄは、躯体開口領域算出部２０２ｅ、安全対策必要箇所特定部２０２ｆ、および、安全対策品配置部２０２ｇを更に備える。
【０１０８】
このうち、躯体開口領域算出部２０２ｅは、ＢＩＭパーツをＢＩＭモデルに設置した状態において、ＢＩＭパーツ全体とＢＩＭモデルの躯体部分（天井、床面、柱、壁面等）との位置関係に基づき躯体部分の開口部を決定し、決定した当該開口部に基づくＢＩＭモデル内の空間領域を、躯体開口領域（図５に示す躯体開口領域等）として算出する躯体開口領域算出手段である。
【０１０９】
また、安全対策必要箇所特定部２０２ｆは、躯体開口領域算出部２０２ｅにより算出された躯体開口領域に対して、安全対策が必要となる箇所（図５に示す安全対策必要箇所等）を特定する安全対策必要箇所特定手段である。ここで、安全対策必要箇所特定部２０２ｆは、ＢＩＭパーツが昇降機に関するオプション用品（図７に示すオプション用品等）を含む場合に算出されるオプション用品の設置領域（図７に示す設置領域等）に対して、安全対策が必要となる箇所を特定してもよい。
【０１１０】
また、安全対策品配置部２０２ｇは、安全対策必要箇所特定部２０２ｆにより特定された安全対策が必要となる箇所に、安全対策品（図６および図７に示す安全対策品等）を配置する安全対策品配置手段である。
【０１１１】
また、画面生成部２０２ｈは、統合モデリング部２０２ｄにより作成された統合ＢＩＭモデルを含むレイアウト画面を生成する画面生成手段である。画面生成部２０２ｈは、例えば図６および図７に示すような、安全対策品を配置した統合ＢＩＭモデルを含むレイアウト画面を生成する。ここで、画面生成部２０２ｈは、後述のＢＩＭパーツ変更部２０２ｋにより変更された昇降機のＢＩＭパーツを含むレイアウト画面を生成してもよい。また、画面生成部２０２ｈは、後述のＢＩＭモデル変更部２０２ｍにより変更された建築物のＢＩＭモデルを含むレイアウト画面を生成してもよい。
【０１１２】
また、画面表示制御部２０２ｉは、画面生成部２０２ｈにより生成されたレイアウト画面を端末装置１００へ送信して、当該レイアウト画面を端末装置１００の表示部１１４に表示させるように制御する画面表示制御手段である。
【０１１３】
また、安全対策変更部２０２ｊは、画面表示制御部２０２ｉにより端末装置１００の表示部１１４に表示されたレイアウト画面上で検出される、利用者による安全対策品を変更する安全対策変更操作に対応する制御信号が、端末装置１００から受信された場合、安全対策変更操作に対応する制御信号に応じて、統合ＢＩＭモデル内の躯体開口領域に対する安全対策品を変更する安全対策変更手段である。
【０１１４】
ここで、安全対策変更部２０２ｊは、レイアウト画面上で検出される追加操作に対応する制御信号が端末装置１００から受信された場合、追加操作に対応する制御信号により指定された統合ＢＩＭモデル内の位置に安全対策品を追加する。また、安全対策変更部２０２ｊは、レイアウト画面上で検出される削除操作に対応する制御信号が端末装置１００から受信された場合、削除操作に対応する制御信号により選択された統合ＢＩＭモデル内の安全対策品を削除する。また、安全対策変更部２０２ｊは、レイアウト画面上で検出される移動操作に対応する制御信号が端末装置１００から受信された場合、移動操作に対応する制御信号により指定された統合ＢＩＭモデル内の位置に対応する安全対策品を移動させる。
【０１１５】
また、ＢＩＭパーツ変更部２０２ｋは、画面表示制御部２０２ｉにより端末装置１００の表示部１１４に表示されたレイアウト画面上で検出される、統合ＢＩＭモデル内のＢＩＭパーツを変更するＢＩＭパーツ変更操作に対応する制御信号が、端末装置１００から受信された場合、ＢＩＭパーツ変更操作に対応する制御信号に応じて、統合ＢＩＭモデル内のＢＩＭパーツを変更するＢＩＭパーツ変更手段である。
【０１１６】
また、ＢＩＭモデル変更部２０２ｍは、画面表示制御部２０２ｉにより端末装置１００の表示部１１４に表示されたレイアウト画面上で検出される、統合ＢＩＭモデル内のＢＩＭモデルを変更するＢＩＭモデル変更操作に対応する制御信号、端末装置１００から受信された場合、ＢＩＭモデル変更操作に対応する制御信号に応じて、統合ＢＩＭモデル内のＢＩＭモデルを変更するＢＩＭパーツ変更手段である。
【０１１７】
この他、制御部２０２は、昇降機モデリング部２０２ｂにより作成されたＢＩＭパーツを、ＢＩＭモデルデータベース２０６ｂに記憶されたＢＩＭモデル内における当該ＢＩＭパーツの設置予定領域へ設置させる利用者の設置操作を検出する操作画面を作成する操作画面作成手段を更に備えていてもよい。また、制御部２０２は、操作画面作成手段により作成された操作画面を端末装置１００へ送信して、当該操作画面を端末装置１００の表示部１１４に表示させるように制御する操作画面表示制御手段を更に備えていてもよい。この場合、統合モデリング部２０２ｄは、操作画面表示制御手段により表示された操作画面を介して検出される設置操作に対応する制御信号を端末装置１００から受信し、受信した設置操作に対応する制御信号に応じて、ＢＩＭパーツを設置予定領域に設置した際に生じる躯体開口領域を算出し、算出された躯体開口領域に対する安全対策品を配置した状態の統合ＢＩＭモデルを作成してもよい。
【０１１８】
以上で、第２の実施形態におけるＢＩＭシステムの構成の一例の説明を終える。
【０１１９】
［第２の実施形態におけるＢＩＭシステムの処理］
次に、このように構成された第２の実施形態におけるＢＩＭシステムの処理の一例について、以下に図１５を参照して詳細に説明する。図１５は、第２の実施形態におけるＢＩＭシステムの基本処理の一例を示すフローチャートである。
【０１２０】
図１５に示すように、まず、端末装置１００の制御部１０２は、利用者により入力される作成条件をサーバ装置２００へ送信する（ステップＳＢ−１０）。
【０１２１】
そして、サーバ装置２００の作成条件受信部２０２ａは、ステップＳＢ−１０にて制御部１０２の処理により送信される作成条件を受信する（ステップＳＢ−２０）。
【０１２２】
そして、サーバ装置２００の昇降機モデリング部２０２ｂは、ステップＳＢ−２０にて作成条件受信部２０２ａの処理により受信された作成条件に対応する昇降機のＢＩＭパーツを、パーツ情報データベース２０６ａに記憶されたパーツ情報を用いて作成する（ステップＳＢ−３０）。例えば、昇降機モデリング部２０２ｂは、上述の図３に示すようなエスカレータのＢＩＭパーツを作成する。ここで、ステップＳＢ−３０において、昇降機モデリング部２０２ｂは、作成条件を満たす複数の昇降機のＢＩＭパーツを作成してもよい。
【０１２３】
そして、サーバ装置２００の統合モデリング部２０２ｄは、ステップＳＢ−３０にて昇降機モデリング部２０２ｂの処理により作成された昇降機のＢＩＭパーツを、ＢＩＭモデルデータベース２０６ｂに記憶された建築物のＢＩＭモデルに組み込んだ統合ＢＩＭモデルを作成する（ステップＳＢ−４０）。
【０１２４】
ステップＳＢ−４０において、統合モデリング部２０２ｄは、図９に示すような統合ＢＩＭモデル作成処理を実行する。具体的には、統合モデリング部２０２ｄは、図９に示すように、ＢＩＭパーツをＢＩＭモデルに設置した際に生じる躯体開口領域を算出し、算出された躯体開口領域に対する安全対策品を配置した状態の統合ＢＩＭモデルを作成する。この場合、統合モデリング部２０２ｄは、例えば、図６に示すような、エスカレータのＢＩＭパーツを建築物のＢＩＭモデルの組み込んだ状態であって、躯体開口領域の安全対策必要箇所に対して安全対策品（図６の例において、三角ガード、手摺り）が配置された状態の統合ＢＩＭモデルを作成する。
【０１２５】
また、ステップＳＢ−４０において、統合モデリング部２０２ｄは、図１０に示すような統合ＢＩＭモデル作成処理を実行してもよい。具体的には、統合モデリング部２０２ｄは、図１０に示すように、ＢＩＭパーツが昇降機に関するオプション用品を含む場合、当該オプション用品の設置領域を算出し、算出された設置領域に対する安全対策品を配置した状態の統合ＢＩＭモデルを作成してもよい。この場合、統合モデリング部２０２ｄは、図７に示すような、エスカレータ付近にオプション用品（図７の例において、自動運転ポール）が設置されている場合は、設置領域の安全対策必要箇所に対して安全対策品（図７の例において、仕切り板）が配置された状態の統合ＢＩＭモデルを作成する。
【０１２６】
そして、サーバ装置２００の画面生成部２０２ｈは、ステップＳＢ−４０にて統合モデリング部２０２ｄの処理により作成された統合ＢＩＭモデルを含むレイアウト画面を生成する（ステップＳＢ−５０）。ステップＳＢ−５０において、画面生成部２０２ｈは、例えば図６および図７に示すような、安全対策品を配置した統合ＢＩＭモデルを含むレイアウト画面を生成する。
【０１２７】
そして、サーバ装置２００の画面表示制御部２０２ｉは、ステップＳＢ−５０にて画面生成部２０２ｈの処理により生成されたレイアウト画面を端末装置１００へ送信して（ステップＳＢ−６０）、当該レイアウト画面を端末装置１００の表示部１１４に表示させるように制御する（ステップＳＢ−７０）。ステップＳＢ−６０〜ステップＳＢ−７０において、画面表示制御部２０２ｉは、例えば図６および図７に示すような、安全対策品を配置した統合ＢＩＭモデルを含むレイアウト画面を端末装置１００へ送信して、当該レイアウト画面を端末装置１００の表示部１１４に表示させるように制御する。
【０１２８】
そして、端末装置１００の制御部１０２は、ステップＳＢ−６０〜ステップＳＢ−７０にて画面表示制御部２０２ｉの処理により端末装置１００の表示部１１４に表示されたレイアウト画面上で、利用者による安全対策品を変更する安全対策変更操作が検出されたか否かを判定する（ステップＳＢ−８０）。
【０１２９】
そして、端末装置１００の制御部１０２は、ステップＳＢ−８０にて安全対策変更操作が検出されたと判定した場合（ステップＳＢ−８０：Ｙｅｓ）、検出された安全対策変更操作に対応する制御信号をサーバ装置２００へ送信する。そして、サーバ装置２００の安全対策変更部２０２ｊは、ステップＳＢ−８０にて制御部１０２の処理により送信された安全対策変更操作に対応する制御信号に応じて、統合ＢＩＭモデル内の躯体開口領域に対する安全対策品を変更する（ステップＳＢ−９０）。その後、ステップＳＢ−５０の処理へ移行し、ステップＳＢ−５０では変更された安全対策品を反映させたレイアウト画面が生成され、ステップＳＢ−６０〜ステップＳＢ−７０では生成したレイアウト画面が端末装置１００の表示部１１４に表示される。
【０１３０】
一方、端末装置１００の制御部１０２は、ステップＳＢ−８０にて安全対策変更操作が検出されなかったと判定した場合（ステップＳＢ−８０：Ｎｏ）、本処理を終了する。
【０１３１】
なお、図１５のステップＳＢ−８０の判定処理およびステップＳＢ−９０の安全対策変更処理の詳細は、各種安全対策変更操作に対応する制御信号が端末装置１００からサーバ装置２００へ送信されて、サーバ装置２００において当該制御信号に応じて各種安全対策変更処理が実行される点以外は、基本的に図１１と同様であるため、処理の詳細について、説明を省略する。また、第２の実施形態において実行されるＢＩＭパーツ変更処理およびＢＩＭモデル変更処理についても、ＢＩＭパーツ変更操作およびＢＩＭモデル変更操作にそれぞれ対応する制御信号が端末装置１００からサーバ装置２００へ送信されて、サーバ装置２００において当該制御信号に応じてＢＩＭパーツ変更処理およびＢＩＭモデル変更操作が実行される点以外は、基本的に図１２および図１３と同様であるため、処理の詳細について、説明を省略する。
【０１３２】
以上で、第２の実施形態におけるＢＩＭシステムの処理の一例の説明を終える。
【０１３３】
なお、第２の実施形態にかかるＢＩＭシステム（サーバ主導型）においても、上述の第１の実施形態にかかるＢＩＭシステム（機能分散型）と同様の効果を奏する。
【０１３４】
［第３の実施形態］
続いて、第３の実施形態について、図１６および図１７を参照して以下に説明する。ここで、図１６は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【０１３５】
なお、第３の実施形態においては、全ての機能をＢＩＭ装置４００に集約し、当該ＢＩＭ装置４００は、当該ＢＩＭ装置４００は、利用者により入力される作成条件に対応する昇降機のＢＩＭパーツを作成し、ＢＩＭパーツを建築物のＢＩＭモデルに組み込んだ統合ＢＩＭモデルを作成する等の機能を有する。また、ＢＩＭ装置４００は、統合ＢＩＭモデルを含むレイアウト画面を生成し、レイアウト画面を表示部４１４に表示させる等の機能を有する。ここで、ＢＩＭ装置４００は、ＢＩＭパーツをＢＩＭモデルに設置した際に生じる躯体開口領域を算出し、算出された躯体開口領域に対する安全対策品を配置した状態の統合ＢＩＭモデルを作成する。このように、第３の実施形態は、ＢＩＭ装置４００がスタンドアロン型に構成され単独で処理を行う点がその他の実施形態と異なる。
【０１３６】
［第３の実施形態におけるＢＩＭシステムの構成］
まず、第３の実施形態におけるＢＩＭシステムの構成の一例について、図１６を参照して以下に説明する。
【０１３７】
図１６に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１３８】
図１６において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、および、ＢＩＭモデルデータベース４０６ｂ等）についても、サーバ装置２００ではなくＢＩＭ装置４００に備えられている点を除き、各機能が第１の実施形態と同様であるため説明を省略する。
【０１３９】
なお、制御部４０２の各部については、本実施形態のＢＩＭ装置４００がスタンドアロン型であり、制御部４０２が各送信部を備えていない点を除き、各機能は第１の実施形態と基本的に同様である。
【０１４０】
図１６において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、画面生成部４０２ｇ、画面表示部４０２ｈ、安全対策変更部４０２ｉ、ＢＩＭパーツ変更部４０２ｊ、および、ＢＩＭモデル変更部４０２ｋを備える。ここで、統合モデリング部４０２ｃは、躯体開口領域算出部４０２ｄ、安全対策必要箇所特定部４０２ｅ、および、安全対策品配置部４０２ｆを更に備える。
【０１４１】
このうち、作成条件設定部４０２ａは、利用者により入力される作成条件を設定する作成条件設定手段である。ここで、作成条件は、利用者により入力部４１８を介して入力されたものであってもよいし、予め作成条件が記憶された外部記憶装置（図示せず）から読み込まれたものであってもよい。
【０１４２】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。昇降機モデリング部４０２ｂは、例えば、図３に示すようなエスカレータの３次元のＢＩＭパーツを作成する。
【０１４３】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ統合ＢＩＭモデルを作成する統合モデリング手段である。本実施形態において、統合モデリング部４０２ｃは、ＢＩＭパーツをＢＩＭモデルに設置した際に生じる躯体開口領域を算出し、算出された躯体開口領域に対する安全対策品を配置した状態の統合ＢＩＭモデル（図６に示す統合ＢＩＭモデル等）を作成する。
【０１４４】
ここで、統合モデリング部４０２ｃは、ＢＩＭパーツが昇降機に関するオプション用品を含む場合、当該オプション用品の設置領域を算出し、算出された設置領域に対する安全対策品を配置した状態の統合ＢＩＭモデル（図７に示す統合ＢＩＭモデル等）を作成してもよい。また、統合モデリング部４０２ｃは、後述するＢＩＭパーツ変更部４０２ｊにより変更されたＢＩＭパーツを、ＢＩＭモデルデータベース４０６ｂに記憶されたＢＩＭモデルに設置した際に生じる躯体開口領域を算出し、算出された躯体開口領域に対する安全対策品を再配置した状態の統合ＢＩＭモデルを作成してもよい。また、統合モデリング部４０２ｃは、昇降機モデリング部４０２ｂにより作成された昇降機のＢＩＭパーツ、または、ＢＩＭパーツ変更部４０２ｊにより変更されたＢＩＭパーツを、後述するＢＩＭモデル変更部４０２ｋにより変更された建築物のＢＩＭモデルに設置した際に生じる躯体開口領域を算出し、算出された躯体開口領域に対する安全対策品を再配置した状態の統合ＢＩＭモデルを作成してもよい。なお、統合モデリング部４０２ｃは、作成した統合ＢＩＭモデルを記憶部４０６に格納して、統合ＢＩＭモデルデータベース（図示せず）を構築してもよい。
【０１４５】
本実施形態において、統合モデリング部４０２ｃは、躯体開口領域算出部４０２ｄ、安全対策必要箇所特定部４０２ｅ、および、安全対策品配置部４０２ｆを更に備える。
【０１４６】
このうち、躯体開口領域算出部４０２ｄは、ＢＩＭパーツをＢＩＭモデルに設置した状態において、ＢＩＭパーツ全体とＢＩＭモデルの躯体部分（天井、床面、柱、壁面等）との位置関係に基づき躯体部分の開口部を決定し、決定した当該開口部に基づくＢＩＭモデル内の空間領域を、躯体開口領域（図５に示す躯体開口領域等）として算出する躯体開口領域算出手段である。
【０１４７】
また、安全対策必要箇所特定部４０２ｅは、躯体開口領域算出部４０２ｄにより算出された躯体開口領域に対して、安全対策が必要となる箇所（図５に示す安全対策必要箇所等）を特定する安全対策必要箇所特定手段である。ここで、安全対策必要箇所特定部４０２ｅは、ＢＩＭパーツが昇降機に関するオプション用品（図７に示すオプション用品等）を含む場合に算出されるオプション用品の設置領域（図７に示す設置領域等）に対して、安全対策が必要となる箇所を特定してもよい。
【０１４８】
また、安全対策品配置部４０２ｆは、安全対策必要箇所特定部４０２ｅにより特定された安全対策が必要となる箇所に、安全対策品（図６および図７に示す安全対策品等）を配置する安全対策品配置手段である。
【０１４９】
また、画面生成部４０２ｇは、統合モデリング部４０２ｃにより作成された統合ＢＩＭモデルを含むレイアウト画面を生成する画面生成手段である。画面生成部４０２ｇは、例えば図６および図７に示すような、安全対策品を配置した統合ＢＩＭモデルを含むレイアウト画面を生成する。ここで、画面生成部４０２ｇは、後述のＢＩＭパーツ変更部４０２ｊにより変更された昇降機のＢＩＭパーツを含むレイアウト画面を生成してもよい。また、画面生成部４０２ｇは、後述のＢＩＭモデル変更部４０２ｋにより変更された建築物のＢＩＭモデルを含むレイアウト画面を生成してもよい。
【０１５０】
また、画面表示部４０２ｈは、画面生成部４０２ｇにより生成されたレイアウト画面を表示部４１４に表示させる画面表示手段である。
【０１５１】
また、安全対策変更部４０２ｉは、画面表示部４０２ｈにより表示部１１４に表示されたレイアウト画面上で、利用者による安全対策品を変更する安全対策変更操作が検出された場合、安全対策変更操作に応じて、統合ＢＩＭモデル内の躯体開口領域に対する安全対策品を変更する安全対策変更手段である。
【０１５２】
ここで、安全対策変更部４０２ｉは、レイアウト画面上で追加操作が検出された場合、追加操作により指定された統合ＢＩＭモデル内の位置に安全対策品を追加する。また、安全対策変更部４０２ｉは、レイアウト画面上で削除操作が検出された場合、削除操作により選択された統合ＢＩＭモデル内の安全対策品を削除する。また、安全対策変更部４０２ｉは、レイアウト画面上で移動操作が検出された場合、移動操作により指定された統合ＢＩＭモデル内の位置に対応する安全対策品を移動させる。
【０１５３】
また、ＢＩＭパーツ変更部４０２ｊは、画面表示部４０２ｈにより表示部４１４に表示されたレイアウト画面上で、統合ＢＩＭモデル内のＢＩＭパーツを変更するＢＩＭパーツ変更操作が検出された場合、ＢＩＭパーツ変更操作に応じて、統合ＢＩＭモデル内のＢＩＭパーツを変更するＢＩＭパーツ変更手段である。
【０１５４】
また、ＢＩＭモデル変更部４０２ｋは、画面表示部４０２ｈにより表示部４１４に表示されたレイアウト画面上で、統合ＢＩＭモデル内のＢＩＭモデルを変更するＢＩＭモデル変更操作が検出された場合、ＢＩＭモデル変更操作に応じて、統合ＢＩＭモデル内のＢＩＭモデルを変更するＢＩＭパーツ変更手段である。
【０１５５】
この他、制御部４０２は、昇降機モデリング部４０２ｂにより作成されたＢＩＭパーツを、ＢＩＭモデルデータベース４０６ｂに記憶されたＢＩＭモデル内における当該ＢＩＭパーツの設置予定領域へ設置させる利用者の設置操作を検出する操作画面を作成する操作画面作成手段を更に備えていてもよい。また、制御部４０２は、操作画面作成手段により作成された操作画面を表示部１１４に表示させる操作画面表示手段を更に備えていてもよい。この場合、統合モデリング部４０２ｃは、操作画面表示手段により表示された操作画面を介して検出される設置操作に応じて、ＢＩＭパーツを設置予定領域に設置した際に生じる躯体開口領域を算出し、算出された躯体開口領域に対する安全対策品を配置した状態の統合ＢＩＭモデルを作成してもよい。
【０１５６】
以上で、第３の実施形態におけるＢＩＭシステムの構成の一例の説明を終える。
【０１５７】
［第３の実施形態におけるＢＩＭシステムの処理］
次に、このように構成された第３の実施形態におけるＢＩＭシステムの処理の一例について、以下に図１７を参照して詳細に説明する。図１７は、第３の実施形態におけるＢＩＭシステムの基本処理の一例を示すフローチャートである。
【０１５８】
図１７に示すように、まず、作成条件設定部４０２ａは、利用者により入力される作成条件を設定する（ステップＳＣ−１０）。
【０１５９】
そして、昇降機モデリング部４０２ｂは、ステップＳＣ−１０にて作成条件設定部４０２ａの処理により設定された作成条件に対応する昇降機のＢＩＭパーツを、パーツ情報データベース４０６ａに記憶されたパーツ情報を用いて作成する（ステップＳＣ−２０）。例えば、昇降機モデリング部４０２ｂは、上述の図３に示すようなエスカレータのＢＩＭパーツを作成する。ここで、ステップＳＣ−２０において、昇降機モデリング部４０２ｂは、作成条件を満たす複数の昇降機のＢＩＭパーツを作成してもよい。
【０１６０】
そして、統合モデリング部４０２ｃは、ステップＳＣ−２０にて昇降機モデリング部４０２ｂの処理により作成された昇降機のＢＩＭパーツを、ＢＩＭモデルデータベース４０６ｂに記憶された建築物のＢＩＭモデルに組み込んだ統合ＢＩＭモデルを作成する（ステップＳＣ−３０）。
【０１６１】
ステップＳＣ−３０において、統合モデリング部４０２ｃは、図９に示すような統合ＢＩＭモデル作成処理を実行する。具体的には、統合モデリング部４０２ｃは、図９に示すように、ＢＩＭパーツをＢＩＭモデルに設置した際に生じる躯体開口領域を算出し、算出された躯体開口領域に対する安全対策品を配置した状態の統合ＢＩＭモデルを作成する。この場合、統合モデリング部４０２ｃは、例えば、図６に示すような、エスカレータのＢＩＭパーツを建築物のＢＩＭモデルの組み込んだ状態であって、躯体開口領域の安全対策必要箇所に対して安全対策品（図６の例において、三角ガード、手摺り）が配置された状態の統合ＢＩＭモデルを作成する。
【０１６２】
また、ステップＳＣ−３０において、統合モデリング部４０２ｃは、図１０に示すような統合ＢＩＭモデル作成処理を実行してもよい。具体的には、統合モデリング部４０２ｃは、図１０に示すように、ＢＩＭパーツが昇降機に関するオプション用品を含む場合、当該オプション用品の設置領域を算出し、算出された設置領域に対する安全対策品を配置した状態の統合ＢＩＭモデルを作成してもよい。この場合、統合モデリング部４０２ｃは、図７に示すような、エスカレータ付近にオプション用品（図７の例において、自動運転ポール）が設置されている場合は、設置領域の安全対策必要箇所に対して安全対策品（図７の例において、仕切り板）が配置された状態の統合ＢＩＭモデルを作成する。
【０１６３】
そして、画面生成部４０２ｇは、ステップＳＣ−３０にて統合モデリング部４０２ｃの処理により作成された統合ＢＩＭモデルを含むレイアウト画面を生成する（ステップＳＣ−４０）。ステップＳＣ−４０において、画面生成部４０２ｇは、例えば図６および図７に示すような、安全対策品を配置した統合ＢＩＭモデルを含むレイアウト画面を生成する。
【０１６４】
そして、画面表示部４０２ｈは、ステップＳＣ−４０にて画面生成部４０２ｇの処理により生成されたレイアウト画面を表示部４１４に表示させる（ステップＳＣ−５０）。ステップＳＣ−５０において、画面表示部４０２ｈは、例えば図６および図７に示すような、安全対策品を配置した統合ＢＩＭモデルを含むレイアウト画面を表示部４１４に表示させる。
【０１６５】
そして、制御部４０２は、ステップＳＣ−５０にて画面表示部４０２ｈの処理により表示部４１４に表示されたレイアウト画面上で、利用者による安全対策品を変更する安全対策変更操作が検出されたか否かを判定する（ステップＳＣ−６０）。
【０１６６】
そして、安全対策変更部４０２ｉは、ステップＳＣ−６０にて制御部４０２の処理により安全対策変更操作が検出されたと判定された場合（ステップＳＣ−６０：Ｙｅｓ）、検出された安全対策変更操作に応じて、統合ＢＩＭモデル内の躯体開口領域に対する安全対策品を変更する（ステップＳＣ−７０）。その後、制御部４０２は、変更した安全対策品を含むレイアウト画面を表示部４１４に表示させた上で、本処理を終了する。
【０１６７】
一方、制御部４０２は、ステップＳＣ−６０にて安全対策変更操作が検出されなかったと判定した場合（ステップＳＣ−６０：Ｎｏ）は、ステップＳＣ−７０の安全対策変更処理を実行せずに、本処理を終了する。
【０１６８】
なお、図１７のステップＳＣ−６０の判定処理およびステップＳＣ−７０の安全対策変更処理の詳細は、図１１と同様であるため、処理の詳細について、説明を省略する。また、第３の実施形態において実行されるＢＩＭパーツ変更処理およびＢＩＭモデル変更処理についても、図１２および図１３と同様であるため、処理の詳細について、説明を省略する。
【０１６９】
以上で、第４の実施形態におけるＢＩＭシステムの処理の一例の説明を終える。
【０１７０】
なお、第４の実施形態にかかるＢＩＭシステム（スタンドアロン型）においても、上述の第１の実施形態にかかるＢＩＭシステム（機能分散型）と同様の効果を奏する。
【０１７１】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１７２】
例えば、上述の実施形態では、昇降機としてエスカレータを例にして説明したが、エレベータ、動く歩道等の乗客コンベアについても同様に本発明を適用できる。
【０１７３】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１７４】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１７５】
また、端末装置１００、サーバ装置２００、および、ＢＩＭ装置４００に関して、図示の各構成要素は機能概念的なものであり、必ずしも物理的に図示の如く構成されていることを要しない。
【０１７６】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１７７】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１７８】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１７９】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１８０】
記憶部１０６、記憶部２０６、および、記憶部４０６に格納される各種のデータベース等（ＢＩＭモデルデータベース１０６ａ、パーツ情報データベース２０６ａ、ＢＩＭモデルデータベース２０６ｂ、パーツ情報データベース４０６ａ、および、ＢＩＭモデルデータベース４０６ｂ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１８１】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１８２】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１８３】
以上で説明した実施形態、変形例に係るＢＩＭシステム、サーバ装置、端末装置、方法およびプログラムによれば、その結果、昇降機の設備計画を提案する際、建築物に昇降機を組み込んだ状態を視覚的に分かりやすく表示することができる。
【０１８４】
［付記］
実施形態のＢＩＭシステムにおいて、前記制御部は、前記画面表示手段により前記表示部に表示された前記レイアウト画面上で、前記統合ＢＩＭモデル内の前記ＢＩＭパーツを変更するＢＩＭパーツ変更操作が検出された場合、前記ＢＩＭパーツ変更操作に応じて、前記統合ＢＩＭモデル内の前記ＢＩＭパーツを変更するＢＩＭパーツ変更手段、を更に備え、前記統合モデリング手段は、前記ＢＩＭパーツ変更手段により変更された前記ＢＩＭパーツを、前記ＢＩＭモデル記憶手段に記憶された前記ＢＩＭモデルに設置した際に生じる前記躯体開口領域を算出し、算出された前記躯体開口領域に対する前記安全対策品を再配置した状態の前記統合ＢＩＭモデルを作成することが好ましい。
【０１８５】
実施形態のＢＩＭシステムにおいて、前記制御部は、前記画面表示手段により前記表示部に表示された前記レイアウト画面上で、前記統合ＢＩＭモデル内の前記ＢＩＭモデルを変更するＢＩＭモデル変更操作が検出された場合、前記ＢＩＭモデル変更操作に応じて、前記統合ＢＩＭモデル内の前記ＢＩＭモデルを変更するＢＩＭモデル変更手段、を更に備え、前記統合モデリング手段は、前記昇降機モデリング手段により作成された前記ＢＩＭパーツ、または、前記ＢＩＭパーツ変更手段により変更された前記ＢＩＭパーツを、前記ＢＩＭモデル変更手段により変更された前記ＢＩＭモデルに設置した際に生じる前記躯体開口領域を算出し、算出された前記躯体開口領域に対する前記安全対策品を再配置した状態の前記統合ＢＩＭモデルを作成することが好ましい。
【０１８６】
本実施形態のＢＩＭシステムにおいて、前記統合モデリング手段は、前記ＢＩＭパーツが昇降機に関するオプション用品を含む場合、当該オプション用品の設置領域を算出し、算出された前記設置領域に対する前記安全対策品を配置した状態の前記統合ＢＩＭモデルを作成することが好ましい。
【０１８７】
実施形態のサーバ装置は、表示部を少なくとも備えた端末装置に通信可能に接続された、制御部と記憶部とを少なくとも備えたサーバ装置であって、前記記憶部は、昇降機のＢＩＭパーツを作成するためのパーツ情報を記憶するパーツ情報記憶手段、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置において、前記情報提供手段により前記サーバ装置から送信された前記ＢＩＭパーツを建築物のＢＩＭモデルに組み込んだ統合ＢＩＭモデルが作成され、前記統合ＢＩＭモデルを含むレイアウト画面が生成され、前記レイアウト画面が前記表示部に表示され、前記統合ＢＩＭモデルは、前記ＢＩＭパーツを前記ＢＩＭモデルに設置した際に生じる躯体開口領域を算出し、前記躯体開口領域に対する安全対策品を配置した状態で作成されることを特徴とする。
【０１８８】
実施形態の端末装置は、サーバ装置に通信可能に接続された、制御部と記憶部と表示部とを少なくとも備えた端末装置であって、前記記憶部は、建築物のＢＩＭモデルを記憶するＢＩＭモデル記憶手段、を備え、前記制御部は、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、を備え、前記統合モデリング手段は、前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とする。
【０１８９】
実施形態のＢＩＭシステムは、制御部と記憶部とを少なくとも備えたサーバ装置、および、表示部を少なくとも備えた端末装置、を通信可能に接続したＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記端末装置へ送信して、当該端末装置の前記表示部に表示させるように制御する画面表示制御手段と、を備え、前記統合モデリング手段は、前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とする。
【０１９０】
実施形態の方法は、表示部を少なくとも備えた端末装置に通信可能に接続された、制御部と記憶部とを少なくとも備えたサーバ装置において実行される方法であって、前記記憶部は、昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を含み、前記端末装置において、前記情報提供ステップにて前記サーバ装置から送信された前記ＢＩＭパーツを建築物のＢＩＭモデルに組み込んだ統合ＢＩＭモデルが作成され、前記統合ＢＩＭモデルを含むレイアウト画面が生成され、前記レイアウト画面が前記表示部に表示され、前記統合ＢＩＭモデルは、前記ＢＩＭパーツを前記ＢＩＭモデルに設置した際に生じる躯体開口領域を算出し、前記躯体開口領域に対する安全対策品を配置した状態で作成されることを特徴とする。
【０１９１】
実施形態の方法は、サーバ装置に通信可能に接続された、制御部と記憶部と表示部とを少なくとも備えた端末装置において実行される方法であって、前記記憶部は、建築物のＢＩＭモデルを記憶するＢＩＭモデル記憶手段、を備え、前記制御部において実行される、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、を含み、前記統合モデリングステップにおいて、前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とする。
【０１９２】
実施形態の方法は、制御部と記憶部とを少なくとも備えたサーバ装置、および、表示部を少なくとも備えた端末装置、を通信可能に接続したＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記端末装置へ送信して、当該端末装置の前記表示部に表示させるように制御する画面表示制御ステップと、を含み、前記統合モデリングステップにおいて、前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とする。
【０１９３】
実施形態のプログラムは、制御部と記憶部と表示部を少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、を実行させ、前記統合モデリングにおいて、前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とする。
【０１９４】
実施形態のプログラムは、表示部を少なくとも備えた端末装置に通信可能に接続された、制御部と記憶部とを少なくとも備えたサーバ装置に実行させるためのプログラムであって、前記記憶部は、昇降機のＢＩＭパーツを作成するためのパーツ情報を記憶するパーツ情報記憶手段、を備え、前記制御部において、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を実行させ、前記端末装置において、前記情報提供ステップにて前記サーバ装置から送信された前記ＢＩＭパーツを建築物のＢＩＭモデルに組み込んだ統合ＢＩＭモデルが作成され、前記統合ＢＩＭモデルを含むレイアウト画面が生成され、前記レイアウト画面が前記表示部に表示され、前記統合ＢＩＭモデルは、前記ＢＩＭパーツを前記ＢＩＭモデルに設置した際に生じる躯体開口領域を算出し、前記躯体開口領域に対する安全対策品を配置した状態で作成されることを特徴とする。
【０１９５】
実施形態のプログラムは、サーバ装置に通信可能に接続された、制御部と記憶部と表示部とを少なくとも備えた端末装置に実行させるためのプログラムであって、前記記憶部は、建築物のＢＩＭモデルを記憶するＢＩＭモデル記憶手段、を備え、前記制御部において、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、を実行させ、前記統合モデリングステップにおいて、前記ＢＩＭパーツを前記ＢＩＭモデルに設置した際に生じる躯体開口領域を算出し、算出された前記躯体開口領域に対する安全対策品を配置した状態の前記統合ＢＩＭモデルを作成することを特徴とする。
【符号の説明】
【０１９６】
１００  端末装置
１０２  制御部
１０２ａ  作成条件送信部
１０２ｂ  情報取得部
１０２ｃ  統合モデリング部
１０２ｄ  躯体開口領域算出部
１０２ｅ  安全対策必要箇所特定部
１０２ｆ  安全対策配置部
１０２ｇ  画面生成部
１０２ｈ  画面表示部
１０２ｉ  安全対策変更部
１０２ｊ  ＢＩＭパーツ変更部
１０２ｋ  ＢＩＭモデル変更部
１０４  通信制御インターフェース部
１０６  記憶部
１０６ａ  ＢＩＭモデルデータベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  躯体開口領域算出部
２０２ｆ  安全対策必要箇所特定部
２０２ｇ  安全対策配置部
２０２ｈ  画面生成部
２０２ｉ  画面表示制御部
２０２ｊ  安全対策変更部
２０２ｋ  ＢＩＭパーツ変更部
２０２ｍ  ＢＩＭモデル変更部
２０４  通信制御インターフェース部
２０６  記憶部
２０６ａ  パーツ情報データベース
２０６ｂ  ＢＩＭモデルデータベース
３００  ネットワーク
４００  ＢＩＭ装置
４０２  制御部
４０２ａ  作成条件設定部
４０２ｂ  昇降機モデリング部
４０２ｃ  統合モデリング部
４０２ｄ  躯体開口領域算出部
４０２ｅ  安全対策必要箇所特定部
４０２ｆ  安全対策配置部
４０２ｇ  画面生成部
４０２ｈ  画面表示部
４０２ｉ  安全対策変更部
４０２ｊ  ＢＩＭパーツ変更部
４０２ｋ  ＢＩＭモデル変更部
４０６  記憶部
４０６ａ  パーツ情報データベース
４０６ｂ  ＢＩＭモデルデータベース
４０８  入出力制御インターフェース部
４１４  表示部
４１６  音声出力部
４１８  入力部
【要約】
【課題】昇降機の設備計画を提案する際、建築物に昇降機を組み込んだ状態を視覚的に分かりやすく表示できるＢＩＭシステムおよび方法を提供することを課題とする。
【解決手段】ＢＩＭシステムは、作成条件に対応する昇降機のＢＩＭパーツをパーツ情報を用いて作成し、当該ＢＩＭパーツを建築物のＢＩＭモデルに組み込んだ統合ＢＩＭモデルを作成し、当該統合ＢＩＭモデルを含むレイアウト画面を生成し、当該レイアウト画面を表示部に表示させる。ここで、ＢＩＭシステムは、ＢＩＭパーツをＢＩＭモデルに設置した際に生じる躯体開口領域を算出し、算出された躯体開口領域に対する安全対策品を配置した状態の統合ＢＩＭモデルを作成する。
【選択図】図２【図１】
0005489310.tif 000002
【図２】
0005489310.tif 000003
【図３】
0005489310.tif 000004
【図４】
0005489310.tif 000005
【図５】
0005489310.tif 000006
【図６】
0005489310.tif 000007
【図７】
0005489310.tif 000008
【図８】
0005489310.tif 000009
【図９】
0005489310.tif 000010
【図１０】
0005489310.tif 000011
【図１１】
0005489310.tif 000012
【図１２】
0005489310.tif 000013
【図１３】
0005489310.tif 000014
【図１４】
0005489310.tif 000015
【図１５】
0005489310.tif 000016
【図１６】
0005489310.tif 000017
【図１７】
0005489310.tif 000018